(57)【要約】【課題】過去にスキップさせたシーンを学習して同一シーンを自動的にスキップすること等を可能とした電子機器を提供する。【解決手段】自動シーンスキップモジュール２０３は、動画像データストリームの再生中にシーンスキップモジュール２０１によるスキップが行われると、スキップ開始位置に最も近いシーン変化点をシーン変化点検出モジュール２０２に検出させ、その画像データを自動スキップ情報２１０として記録する。そして、この自動スキップ情報２１０として記録した画像と動画像データストリームの再生画像とを比較し、一致するものがあれば、シーンスキップモジュール２０１にスキップを実行させる。また、シーンスキップモジュール２０１は、本来のスキップ先に最も近いシーン変化点をシーン変化点検出モジュール２０２に検出させ、このシーン変化点にスキップ先を補正する。【選択図】      図３
2007174195.tif 000002
【特許請求の範囲】
【請求項１】
記録媒体に記録された動画像データを再生する電子機器において、
前記動画像データの再生位置を予め設定された時間分だけスキップさせるシーンスキップ手段と、
前記動画像データ中の連続する２つのシーン間の切り替わり位置であるシーン変化点を検出するシーン変化点検出手段と、
前記シーンスキップ手段によるスキップが開始された時点に最も近いシーン変化点をシーン変化点検出手段に検出させ、この検出されたシーン変化点の画像データを管理するスキップ画像管理手段と、
前記動画像データを含む任意に選択された動画像データの再生時、前記スキップ画像管理手段により管理された画像データの画像と再生中の画像とを比較していき、一致していると判断した場合に、再生位置のスキップを前記シーンスキップ手段に行わせる自動シーンスキップ手段と、
を具備することを特徴とする電子機器。
【請求項２】
前記スキップ画像管理手段は、前記シーンスキップ手段によるスキップが開始された時点以前で直近のシーン変化点をシーン変化点検出手段に検出させることを特徴とする請求項１記載の電子機器。
【請求項３】
前記シーンスキップ手段は、前記予め設定された時間分だけスキップした場合の再生位置に最も近いシーン変化点を前記シーン変化点検出手段に検出させ、この検出されたシーン変化点にスキップ後の再生位置を補正する自動補正手段を含むことを特徴とする請求項１記載の電子機器。
【請求項４】
前記シーンスキップ手段の自動補正手段は、前記予め設定された時間分だけスキップした場合の再生位置以前で直近のシーン変化点をシーン変化点検出手段に検出させることを特徴とする請求項３記載の電子機器。
【請求項５】
前記自動シーンスキップ手段によりスキップされる区間がカットされた動画像データを作成するカット編集支援手段をさらに具備することを特徴とする請求項１、２、３または４記載の電子機器。
【請求項６】
記録媒体に記録された動画像データを再生する電子機器において、
前記動画像データの再生位置を予め設定された時間分だけスキップさせるシーンスキップ手段と、
前記動画像データ中の連続する２つのシーン間の切り替わり位置であるシーン変化点を検出するシーン変化点検出手段と、
を具備し、
前記シーンスキップ手段は、前記予め設定された時間分だけスキップした場合の再生位置に最も近いシーン変化点を前記シーン変化点検出手段に検出させ、この検出されたシーン変化点にスキップ後の再生位置を補正する自動補正手段を含むことを特徴とする電子機器。
【請求項７】
前記シーンスキップ手段の自動補正手段は、前記予め設定された時間分だけスキップした場合の再生位置以前で直近のシーン変化点をシーン変化点検出手段に検出させることを特徴とする請求項６記載の電子機器。
【請求項８】
記録媒体に記録された動画像データを再生する電子機器であって、前記動画像データの再生位置を予め設定された時間分だけスキップさせるシーンスキップ手段と、前記動画像データ中の連続する２つのシーン間の切り替わり位置であるシーン変化点を検出するシーン変化点検出手段とを具備する電子機器の自動シーンスキップ方法において、
前記シーンスキップ手段によるスキップが開始された時点に最も近いシーン変化点をシーン変化点検出手段に検出させ、この検出されたシーン変化点の画像データを管理し、
前記動画像データを含む任意に選択された動画像データの再生時、前記管理した画像データの画像と再生中の画像とを比較していき、一致していると判断した場合に、再生位置のスキップを前記シーンスキップ手段に行わせる、
ことを特徴とする電子機器の自動シーンスキップ方法。
【請求項９】
前記シーンスキップ手段によるスキップが開始された時点以前で直近のシーン変化点をシーン変化点検出手段に検出させることを特徴とする請求項８記載の電子機器の自動シーンスキップ方法。
【請求項１０】
記録媒体に記録された動画像データを再生するコンピュータであって、前記動画像データの再生位置を予め設定された時間分だけスキップさせるシーンスキップ手段と、前記動画像データ中の連続する２つのシーン間の切り替わり位置であるシーン変化点を検出するシーン変化点検出手段とを具備するコンピュータを、
前記シーンスキップ手段によるスキップが開始された時点に最も近いシーン変化点をシーン変化点検出手段に検出させ、この検出されたシーン変化点の画像データを管理するスキップ画像管理手段、
前記動画像データを含む任意に選択された動画像データの再生時、前記スキップ画像管理手段により管理された画像データの画像と再生中の画像とを比較していき、一致していると判断した場合に、再生位置のスキップを前記シーンスキップ手段に行わせる自動シーンスキップ手段、
として機能させることを特徴とするプログラム。
【請求項１１】
前記スキップ画像管理手段は、前記シーンスキップ手段によるスキップが開始された時点以前で直近のシーン変化点をシーン変化点検出手段に検出させることを特徴とする請求項１０記載のプログラム。
【発明の詳細な説明】
【技術分野】
【０００１】
この発明は、例えばＨＤＤビデオレコーダやＤＶＤビデオレコーダなどに適用して好適な動画像データの再生制御技術に関する。
【背景技術】
【０００２】
近年の圧縮符号化技術や画像処理技術の向上に伴い、テレビジョン放送の番組をデジタルデータとして録画・再生するビデオレコーダが急速に普及している。そして、この種のビデオレコーダについては、ユーザの使い勝手を向上させるための提案が、これまでも種々なされている（例えば特許文献１等参照）。
【０００３】
この特許文献１に記載の記録再生装置では、録画データが最初に再生された際、ユーザによって例えば早送りされた部分を記憶しておき、次回以降の再生時には、この早送りされた部分をスキップする仕組みを備えている。これにより、例えば最初の再生時にコマーシャル部分を早送りすると、次回以降の再生時には、この早送り部分が自動的にスキップされるので、毎回同様の操作を繰り返す必要がなく便利である。
【特許文献１】特開２００５−８０１４９号公報
【発明の開示】
【発明が解決しようとする課題】
【０００４】
ここで、番組Ａおよび番組Ｂの２つの番組が録画されているものとし、この２つの番組には同一のコマーシャル部分が含まれているものとする。この場合、番組Ａを最初に再生した際、このコマーシャル部分を早送りした（不要であると判断した）ら、このコマーシャル部分のスキップが番組Ｂの再生時にも行われることが望ましい。しかしながら、前述の特許文献１に記載された手法では、各番組に対してユーザが行った操作に基づいて制御を行っているため不可能である。
【０００５】
また、１つの番組内に同一のコマーシャル部分が複数箇所に含まれることも多く、最初の再生時においても、１度早送りしたものと同一のコマーシャル部分については自動的にスキップされることが望ましい。
【０００６】
さらに、早送りやスキップは、所望の位置を越えて行ってしまうことが多いので、再生再開位置を適切かつ自動的に補正する機能も望まれる。
【０００７】
この発明は、このような事情を考慮してなされたものであり、過去にスキップさせたシーンを学習して同一シーンを自動的にスキップすること等を可能とした電子機器、自動シーンスキップ方法およびプログラムを提供することを目的とする。
【課題を解決するための手段】
【０００８】
前述した目的を達成するために、この発明の電子機器は、記録媒体に記録された動画像データを再生する電子機器において、前記動画像データの再生位置を予め設定された時間分だけスキップさせるシーンスキップ手段と、前記動画像データ中の連続する２つのシーン間の切り替わり位置であるシーン変化点を検出するシーン変化点検出手段と、前記シーンスキップ手段によるスキップが開始された時点に最も近いシーン変化点をシーン変化点検出手段に検出させ、この検出されたシーン変化点の画像データを管理するスキップ画像管理手段と、前記動画像データを含む任意に選択された動画像データの再生時、前記スキップ画像管理手段により管理された画像データの画像と再生中の画像とを比較していき、一致していると判断した場合に、再生位置のスキップを前記シーンスキップ手段に行わせる自動シーンスキップ手段と、を具備することを特徴とする。
【０００９】
また、この発明の自動シーンスキップ方法は、記録媒体に記録された動画像データを再生する電子機器であって、前記動画像データの再生位置を予め設定された時間分だけスキップさせるシーンスキップ手段と、前記動画像データ中の連続する２つのシーン間の切り替わり位置であるシーン変化点を検出するシーン変化点検出手段とを具備する電子機器の自動シーンスキップ方法において、前記シーンスキップ手段によるスキップが開始された時点に最も近いシーン変化点をシーン変化点検出手段に検出させ、この検出されたシーン変化点の画像データを管理し、前記動画像データを含む任意に選択された動画像データの再生時、前記管理した画像データの画像と再生中の画像とを比較していき、一致していると判断した場合に、再生位置のスキップを前記シーンスキップ手段に行わせる、ことを特徴とする。
【００１０】
また、この発明のプログラムは、記録媒体に記録された動画像データを再生するコンピュータであって、前記動画像データの再生位置を予め設定された時間分だけスキップさせるシーンスキップ手段と、前記動画像データ中の連続する２つのシーン間の切り替わり位置であるシーン変化点を検出するシーン変化点検出手段とを具備するコンピュータを、前記シーンスキップ手段によるスキップが開始された時点に最も近いシーン変化点をシーン変化点検出手段に検出させ、この検出されたシーン変化点の画像データを管理するスキップ画像管理手段、前記動画像データを含む任意に選択された動画像データの再生時、前記スキップ画像管理手段により管理された画像データの画像と再生中の画像とを比較していき、一致していると判断した場合に、再生位置のスキップを前記シーンスキップ手段に行わせる自動シーンスキップ手段、として機能させることを特徴とする。
【発明の効果】
【００１１】
この発明によれば、過去にスキップさせたシーンを学習して同一シーンを自動的にスキップすること等を可能とした電子機器、自動シーンスキップ方法およびプログラムを提供することができる。
【発明を実施するための最良の形態】
【００１２】
以下、図面を参照して、この発明の実施の形態を説明する。
【００１３】
まず、図１および図２を参照して、本発明の実施形態に係る情報処理装置の構成について説明する。この情報処理装置は、例えば、ノートブック型パーソナルコンピュータ１０として実現されている。
【００１４】
図１は、ノートブック型パーソナルコンピュータ１０のディスプレイユニットを開いた状態における斜視図である。本コンピュータ１０は、コンピュータ本体１１と、ディスプレイユニット１２とから構成されている。ディスプレイユニット１２には、ＬＣＤ（Liquid Crystal Display）１７から構成される表示装置が組み込まれており、そのＬＣＤ１７の表示画面は、ディスプレイユニット１２のほぼ中央に位置されている。
【００１５】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０を電源オン／オフするためのパワーボタン１４、入力操作パネル１５およびタッチパッド１６などが配置されている。
【００１６】
入力操作パネル１５は、押下されたボタンに対応するイベントをシステムに入力する入力装置であり、複数の機能をそれぞれに起動するための複数のボタンを備えている。これらボタン群には、ＴＶ起動ボタン１５Ａ、ＤＶＤ（Digital Versatile Disc）起動ボタン１５Ｂが含まれている。ＴＶ起動ボタン１５Ａは、デジタルＴＶ放送番組のような放送番組データの再生及び記録を行うためのＴＶ機能を起動するためのボタンであり、ユーザによって押下されると、このＴＶ機能を実行するためのＴＶアプリケーションプログラムが起動される。また、ＤＶＤ起動ボタン１５Ｂは、ＤＶＤに記録されたビデオコンテンツを再生するためのボタンであり、ユーザによって押下されると、ビデオコンテンツを再生するためのアプリケーションプログラムが自動的に起動される。
【００１７】
次に、図２を参照して、本コンピュータ１０のシステム構成について説明する。
【００１８】
本コンピュータ１０は、図２に示されているように、ＣＰＵ１１１、ノースブリッジ１１２、主メモリ１１３、グラフィクスコントローラ１１４、サウスブリッジ１１９、ＢＩＯＳ−ＲＯＭ１２０、ハードディスクドライブ（ＨＤＤ）１２１、光学ディスクドライブ（ＯＤＤ）１２２、デジタルＴＶ放送チューナ１２３、エンベデッドコントローラ／キーボードコントローラＩＣ（ＥＣ／ＫＢＣ）１２４およびネットワークコントローラ１２５等を備えている。
【００１９】
ＣＰＵ１１１は、本コンピュータ１０の動作を制御するために設けられたプロセッサであり、ハードディスクドライブ（ＨＤＤ）１２１から主メモリ１１３にロードされる、オペレーティングシステム（ＯＳ）およびビデオ再生アプリケーションプログラム２００のような各種アプリケーションプログラムを実行する。
【００２０】
ビデオ再生アプリケーションプログラム２００は、圧縮符号化された動画像データをデコードおよび再生するためのソフトウェアである。このビデオ再生アプリケーションプログラム２００は、Ｈ．２６４／ＡＶＣ規格に対応するソフトウェアデコーダである。ビデオ再生アプリケーションプログラム２００は、Ｈ．２６４／ＡＶＣ規格で定義された符号化方式で圧縮符号化されている動画像ストリーム（例えばデジタルＴＶ放送チューナ１２３によって受信されたデジタルＴＶ放送番組や光学ディスクドライブ（ＯＤＤ）１２２から読み出されるＨＤ（High Definition）規格のビデオコンテンツなど）をデコードするための機能を有している。また、ビデオ再生アプリケーションプログラム２００は、デジタルＴＶ放送チューナ１２３によって受信されたデジタルＴＶ放送番組の動画像ストリームをハードディスクドライブ（ＨＤＤ）１２１に記録する録画機能や、ハードディスクドライブ（ＨＤＤ）１２１に記録されたデジタルＴＶ放送番組の動画像ストリームを編集する編集機能なども有している。
【００２１】
このビデオ再生アプリケーションプログラム２００は、Ｈ．２６４／ＡＶＣ規格で定義されたデコード処理等を実行する基本的なモジュールのほか、図３に示すように、シーンスキップモジュール２０１、シーン変化点検出モジュール２０２、自動シーンスキップモジュール２０３およびカット編集支援モジュール２０４等の拡張的なモジュールを多数備えている。
【００２２】
シーンスキップモジュール２０１は、ハードディスクドライブ（ＨＤＤ）１２１に記録されたデジタルＴＶ放送番組の動画像ストリームを再生している時、例えば１５秒の倍数の値など、一般的なコマーシャル長に合わせて予め設定される時間分だけ再生位置をスキップさせるものである。また、シーン変化点検出モジュール２０２は、動画像ストリーム中の各画像について画像解析を行い、前の画像と画像構成（被写体像）が大きく異なっている画像の再生位置（シーン変化点）を検出するものである。このシーンスキップモジュール２０１およびシーン変化点検出モジュール２０２は、既存の手法のいずれを適用しても構わない。そして、自動シーンスキップモジュール２０３およびカット編集支援モジュール２０４は、このシーンスキップモジュール２０１およびシーン変化点検出モジュール２０２を利用して、過去にスキップさせたシーンを学習して同一シーンを自動的にスキップすること等を可能とするものであり、これらについては後述する。
【００２３】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００２４】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００２５】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）１１４Ａに書き込まれた画像データからＬＣＤ１７に送出すべき表示信号を生成する。
【００２６】
サウスブリッジ１１９は、ＬＰＣ（Low Pin Count）バス上の各デバイス、およびＰＣＩ（Peripheral Component Interconnect）バス上の各デバイスを制御する。また、サウスブリッジ１１９は、ＨＤＤ１２１、ＯＤＤ１２２を制御するためのＩＤＥ（Integrated Drive Electronics）コントローラを内蔵している。さらに、サウスブリッジ１１９は、デジタルＴＶ放送チューナ１２３を制御する機能、およびＢＩＯＳ−ＲＯＭ１２０をアクセス制御するための機能も有している。
【００２７】
ハードディスクドライブ（ＨＤＤ）１２１は、各種ソフトウェア及びデータを格納する記憶装置である。光学ディスクドライブ（ＯＤＤ）１２２は、ビデオコンテンツが格納されたＤＶＤなどの記憶メディアを駆動するためのドライブユニットである。デジタルＴＶ放送チューナ１２３は、デジタルＴＶ放送番組のような放送番組データを外部から受信するための受信装置である。
【００２８】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、ユーザによるパワーボタン１４の操作に応じて本コンピュータ１０を電源オン／オフする機能を有している。さらに、エンベデッドコントローラ／キーボードコントローラＩＣ（ＥＣ／ＫＢＣ）１２４は、ユーザによるＴＶ起動ボタン１５Ａ、ＤＶＤ起動ボタン１５Ｂの操作に応じて、本コンピュータ１０を電源オンすることもできる。ネットワークコントローラ１２５は、例えばインターネットなどの外部ネットワークとの通信を実行する通信装置である。
【００２９】
次に、図４を参照して、ビデオ再生アプリケーションプログラム２００の自動シーンスキップモジュール２０３によって実現される、過去にスキップさせたシーンを学習して同一シーンを自動的にスキップする基本原理について説明する。
【００３０】
いま、図４の（Ａ）に示される動画像ストリームの再生中、シーンスキップモジュール２０１によるスキップが行われたと想定する（図４の（１））。シーンスキップモジュール２０１は、スキップが指示された場合、その時の再生位置を自動シーンスキップモジュール２０３に通知し、自動シーンスキップモジュール２０３は、この通知された再生位置に最も近いシーン変化点の検出を、シーン変化点検出モジュール２０２に依頼する（図４の（２））。例えばあるコマーシャル部分をスキップする場合、そのコマーシャル部分が開始された直後に指示を行うので、当該指示がなされた直前のシーン変化点が検出されることが一般的である。よって、シーン変化点検出モジュール２０２に対しては、通知された再生位置以前（再生位置以後は考慮しなくてよい）で最も近いシーン変化点を検出するように依頼してもよい。
【００３１】
そして、自動シーンスキップモジュール２０３は、シーン変化点検出モジュール２０２によって検出されたシーン変化点の画像データを、自動スキップ情報２１０としてハードディスクドライブ（ＨＤＤ）１２１に記録しておく。このシーン変化点の画像データを記録対象とすることで、例えばコマーシャルが開始されてから１秒後にスキップ操作を行った場合と２秒後にスキップ操作を行った場合とのいずれの場合も同一の画像、つまりコマーシャルの開始時点の画像が記録されることになる。
【００３２】
また、予め設定された時間分のスキップ（図４の（３））を行うシーンスキップモジュール２０１も、本来のスキップ先の再生位置に最も近いシーン変化点の検出を、シーン変化点検出モジュール２０２に依頼する（図４の（４））。そして、シーンスキップモジュール２０１は、シーン変化点検出モジュール２０２によって検出されたシーン変化点にスキップ先を補正して、当該シーン変化点へのスキップを実行する。これにより、スキップし過ぎが自動的に補正されることになる。
【００３３】
次に、この自動スキップ情報２１０が記録された後、図４の（Ｂ）に示される動画像ストリームの再生が行われたと想定する。図４の（Ａ）と（Ｂ）とは、同一の放送番組データであってもよいし、異なる放送番組データであってもよい。
【００３４】
自動シーンスキップモジュール２０３は、この動画像ストリーム中の各画像と自動スキップ情報２１０として記録された画像とを比較し、自動スキップ情報２１０として記録された画像の中に再生画像と一致しているものが存在するかどうかを調べる。この２つの画像間の一致有無についても、既存の手法のいずれを適用しても構わない。
【００３５】
そして、一致しているものが存在したら（図４の（５））、自動シーンスキップモジュール２０３は、その再生位置以後で最も近いシーン変化点をシーン変化点検出モジュール２０２に検出させ、検出されたシーン変化点に自動的にスキップする（図４の（６））。
【００３６】
これにより、例えば不要と思われるコマーシャル部分を１度スキップすると、同一のコマーシャル部分であって、スキップ操作の時間的なぶれを吸収済みの完全な部分がそれ以降自動的にスキップされることになる。また、カット編集支援モジュール２０４は、この自動シーンスキップモジュール２０３と同様の原理により、ハードディスクドライブ（ＨＤＤ）１２１に記録された動画像ストリーム中の不要部分（過去にスキップされた部分）を自動的にカットするという編集支援を行う。
【００３７】
ここで、図５および図６のフローチャートを参照して、ビデオ再生アプリケーションプログラム２００によって実行される自動スキップ処理の手順を説明する。
【００３８】
シーンスキップの指示が行われると（図５ステップＡ１のＹＥＳ）、自動シーンスキップモジュール２０３は、その指示された位置に最も近いシーン変化点の検出をシーン変化点検出モジュール２０２に依頼し（図５ステップＡ２）、検出されたシーン変化点の画像データを自動スキップ情報２１０として記録する（図５ステップＡ３）。
【００３９】
この時、シーンスキップモジュール２０１も、本来のスキップ先に最も近いシーン変化点の検出をシーン変化点検出モジュール２０２に依頼し（図５ステップＡ４）、検出されたシーン変化点から再生を開始する（図５ステップＡ５）。
【００４０】
シーンスキップ指示が行われなければ（図５ステップＡ１のＮＯ）、そのまま再生が継続されることになる（図５ステップＡ６）。そして、ビデオデータが残存していれば（図５ステップＡ７のＮＯ）、ステップＡ１からの処理を繰り返し、ビデオデータが終了したら（図５ステップＡ７のＹＥＳ）、この処理を終了する。
【００４１】
また、自動シーンスキップモジュール２０３は、再生画像と自動スキップ情報２１０として記録された画像とを比較し（図６ステップＢ１）、自動スキップ情報２１０として記録された画像の中に再生画像と一致しているものが存在するかどうかを調べる（図６ステップＢ２）。
【００４２】
一致しているものが存在したら（図６ステップＢ２のＹＥＳ）、自動シーンスキップモジュール２０３は、その再生位置以後で最も近いシーン変化点をシーン変化点検出モジュール２０２に検出させ（図６ステップＢ４）、検出されたシーン変化点に自動的にスキップする（図６ステップＢ４）。
【００４３】
一致しているものが存在しなければ（図６ステップＢ２のＮＯ）、そのまま再生が継続されることになる（図６ステップＢ５）。そして、ビデオデータが残存していれば（図６ステップＢ５のＮＯ）、ステップＢ１からの処理を繰り返す。そして、ビデオデータが終了したら（図６ステップＢ６のＹＥＳ）、この処理を終了する。
【００４４】
以上のように、本実施形態のコンピュータ１０は、過去にスキップさせたシーンを学習して同一シーンを自動的にスキップすること等を可能とする。
【００４５】
なお、前述の自動スキップ処理は、すべてコンピュータプログラムによって実現されているので、このコンピュータプログラムをコンピュータ読み取り可能な記憶媒体を通じて通常のコンピュータに導入するだけで、本実施形態と同様の効果を容易に実現することができる。
【００４６】
つまり、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４７】
【図１】本発明の実施形態に係るコンピュータの外観を示す斜視図
【図２】同実施形態のコンピュータのシステム構成を示す図
【図３】同実施形態のコンピュータで用いられるビデオ再生アプリケーションプログラムの機能構成を示すブロック図
【図４】同第１実施形態のビデオ再生アプリケーションプログラムによって実現される、過去にスキップさせたシーンを学習して同一シーンを自動的にスキップする基本原理を説明するための概念図
【図５】同実施形態のビデオ再生アプリケーションプログラムによって実行される自動スキップ処理の第１の手順を示すフローチャート
【図６】同実施形態のビデオ再生アプリケーションプログラムによって実行される自動スキップ処理の第２の手順を示すフローチャート
【符号の説明】
【００４８】
１０…コンピュータ、１１…コンピュータ本体、１２…ディスプレイユニット、１３…キーボード、１４…パワーボタン、１５…入力操作パネル、１５Ａ…ＴＶ起動ボタン、１５Ｂ…ＤＶＤ起動ボタン、１６…タッチパッド、１７…ＬＣＤ、１１１…ＣＰＵ、１１２…ノースブリッジ、１１３…主メモリ、１１４…グラフィクスコントローラ、１１４Ａ…ビデオメモリ、１１９…サウスブリッジ、１２０…ＢＩＯＳ−ＲＯＭ、１２１…ハードディスクドライブ（ＨＤＤ）、１２２…光学ディスクドライブ（ＯＤＤ）、１２３…デジタルＴＶ放送チューナ、１２４…エンベデッドコントローラ／キーボードコントローラＩＣ（ＥＣ／ＫＢＣ）、１２５…ネットワークコントローラ、２００…ビデオ再生アプリケーションプログラム、２０１…シーンスキップモジュール、２０２…シーン変化点検出モジュール、２０３…自動シーンスキップモジュール、２０４…カット編集支援モジュール、２１０…自動スキップ情報。
【図１】
2007174195.tif 000003
【図２】
2007174195.tif 000004
【図３】
2007174195.tif 000005
【図４】
2007174195.tif 000006
【図５】
2007174195.tif 000007
【図６】
2007174195.tif 000008